(57)【要約】      （修正有）【課題】充電部に近接して営巣する場合においても、配電線事故を防止しつつ営巣させることができ、営巣箇所のスペースに合わせて設置できる鳥類営巣補助具を提供する。【解決手段】鳥類営巣補助具１を、上面が開口された有底の袋状とし、周壁１０を絶縁シート１１で構成すると共に底壁１２を絶縁性のネット材１３で構成し、少なくとも絶縁シート１１の外面に被設置箇所の既設部材に取り付け可能な取付バンド２２，２３，２４を設ける。対向する一対の壁面１０ａ，の上部に、隣接する壁面１０ｄにかけて可撓性の形状維持部材を内装したり、周壁の開口部分近傍に開口部分を絞る引締紐を設けるようにしてもよい。取付バンド２２，２３，２４は、周壁外側の上部及び中程の高さ位置に設け、また、底壁１２の下面に設ける。【選択図】図１
2011072197.tif 000002
【特許請求の範囲】
【請求項１】
上面が開口された有底の袋状をなし、周壁を変形自在な絶縁シートで構成すると共に、底壁を絶縁性の変形自在なネット材で構成し、少なくとも前記絶縁シートの外面の適所に被設置箇所の既設部材に取り付け可能な取付バンドが設けられていることを特徴とする鳥類営巣補助具。
【請求項２】
前記上面の開口部分は略矩形状に形成され、前記周壁はこれによって囲まれた領域が略矩形となるように４つの壁面を連接して構成され、対向する一対の壁面のそれぞれの上部には、隣接する壁面にかけて可撓性の形状維持部材が内装されていることを特徴とする請求項１記載の鳥類営巣補助具。
【請求項３】
前記周壁の開口部分近傍には、前記開口部分を絞る引締紐が設けられていることを特徴とする請求項１又は２記載の鳥類営巣補助具。
【請求項４】
前記取付バンドは、前記周壁外側の上部、及び、前記周壁外側の中程の高さ位置に設けられ、さらに前記底壁の下面の適所に設けられていることを特徴とする請求項１乃至３のいずれかに記載の鳥類営巣補助具。
【発明の詳細な説明】
【技術分野】
【０００１】
この発明は、電線等の充電部近傍に設置され、カラス等の鳥類の営巣を補助するために用いる鳥類営巣補助具に関する。
【背景技術】
【０００２】
鳥類が電柱等に営巣することによる配電線事故を防止する対策として、営巣を防止する営巣防止設備や営巣を積極的に許容する営巣許容設備がある。
このうち、前者の設備としては、例えば、幹軸の側面から斜めに延設された複数の枝棒から成る防巣具を電柱の腕金にクランプを介して固着することで営巣を防止するものや（特許文献１参照）、腕金に取り付けられた防巣取付用基台に複数の槍部を延説させた防巣具を取り付けるようにしたもの（特許文献２参照）等が知られている。
【０００３】
また、後者の設備としては、上面が開口した網状の営巣用カゴを有し、このカゴの内部底面に営巣用ベースを設けた営巣誘導器具を圧送電鉄塔に張られている電線から離れた鉄塔の任意の個所に設置し、カラス等の鳥を営巣させる営巣誘導器具や（特許文献３参照）、電柱に巻着する緊締バンドの外周の半周以下の部位から水平乃至は少し上向きなるように放射状に複数のスポークを突設してなる電柱用鳥類営巣補助具（特許文献４参照）等が考えられている。
【先行技術文献】
【特許文献】
【０００４】
【特許文献１】特開２００４−３１３００５号公報
【特許文献２】特開２００７−１７４９６８号公報
【特許文献３】特開平８−１８２４５７号公報
【特許文献４】特開２０００−３１６４５７号公報
【発明の概要】
【発明が解決しようとする課題】
【０００５】
しかしながら、営巣を防止する防巣具を取り付けた場合においても、カラス等の学習能力がある鳥類にあっては、防巣具を取り付けた当初は効力があるものの、しばらくすると、防止具が設置されている箇所又はその近傍に巣を作ることが確認されており、防巣具の効果はあまり期待できない。
【０００６】
また、営巣を許容する設備を施した場合でも、その部分に営巣するとは限らず、従来の営巣対策では効果が低く、営巣による地絡事故を避けることができないものであった。特に、カラス等は、巣が撤去された場合でも、再度、同じ場所へ巣を作る習性があるため、巣がなかった場所に営巣誘導器具を設けても殆ど効果を期待することができない。
【０００７】
さらに、カラスが営巣していた箇所に営巣誘導器具を設けるにしても、営巣していた箇所が充電部に近接している場合には、絶縁処理が施されていない従来の営巣誘導器具をそのまま用いることはできず、また、設置箇所の設置スペースに合わせて誘導器具の大きさを調整して設置することができない。このため、営巣する箇所が充電部に近接した箇所である場合には、格別な対策が必要となるものであった。
【０００８】
本発明は、係る事情に鑑みてなされたものであり、充電部に近接して営巣する場合においても、配電線事故を防止しつつ営巣させることができ、また、営巣箇所のスペースに合わせて設置することが可能な鳥類営巣補助具を提供することを主たる課題としている。
【課題を解決するための手段】
【０００９】
上記課題を達成するために、本発明に係る鳥類営巣補助具は、上面が開口された有底の袋状をなし、周壁を変形自在な絶縁シートで構成すると共に、底壁を絶縁性の変形自在なネット材で構成し、少なくとも前記絶縁シートの外面の適所に被設置箇所の既設部材に取り付け可能な取付バンドが設けられていることを特徴としている。
【００１０】
したがって、本発明に係る鳥類営巣補助具は、変形自在な絶縁シートで周壁が構成され、また絶縁性の変形自在なネット材で底壁が形成されているので、営巣されている箇所を見つけた場合には、その営巣を一旦撤去し、そこへ絶縁シートやネット材を設置スペースに合わせて形状を整えて設置することが可能となる。このため、充電部の近傍においても、絶縁性を確保しながら営巣補助具を設置することが可能となり、営巣によって地絡事故が発生する不都合を回避することが可能となる。
【００１１】
ここで、上面の開口部分を略矩形状に形成し、周壁をこれによって囲まれた領域が略矩形となるように４つの壁面を連接して構成し、対向する一対の壁面のそれぞれの上部（上端又はその近傍）に、隣接する壁面にかけて可撓性の形状維持部材を内装させるようにしてもよい。
このような構成においては、開口部の対向する一対の壁面上部を形状維持部材を変形させて充電部等の既設部材に係止させることが可能となるので、絶縁性を確保しながら被設置箇所への設置を容易に行うことが可能となる。
【００１２】
また、周壁の開口部分近傍に、絶縁シートを集約させて開口部分を絞る引締紐を設けるようにするとよい。このような構成においては、営巣を撤去したい場合には、引締紐により開口部分を絞るように絶縁シートを集約させることで、絶縁シート内の営巣構成部材がシートの外へ脱落することがなくなり、また、営巣構成部材を絶縁シートで覆い包むことができるので、営巣の撤去時に誤って営巣構成部材が充電部に接触することがなくなる。
【００１３】
さらに、上述の構成において、取付バンドを、周壁外側の上部（上端又はその近傍）、及び、周壁外側の中程の高さ位置に設け、さらに底壁の下面の適所に設けるようにしてもよい。
このような構成においては、例えば、電柱の腕金に耐張碍子を介して張設された送電線の縁線に対して営巣補助具を固定する場合には、周壁外側の上部に設けられた取付バンドを縁線に取り付ければよく、電柱の腕金に設けられたピン碍子に対して営巣補助具を固定する場合には、周壁外側の中程の高さ位置に設けられた取付バンドをピン碍子に取り付ければよく、また、営巣補助具が電柱の腕金の上部に載置されるように設けられる場合には、底壁の下面に設けられた取付バンドを腕金に取り付ければよい。
【発明の効果】
【００１４】
以上述べたように、本発明に係る鳥類営巣補助具は、周壁が変形自在な絶縁シートで構成され、また底壁が絶縁性の変形自在なネット材で構成され、少なくとも絶縁シートの外面の適所に被設置箇所の既設部材に取り付け可能な取付バンドが設けられているので、営巣されている箇所を見つけた場合には、その営巣を一旦撤去し、営巣されていた箇所の形状に合わせて営巣補助具を設置することが可能となる。このため、同じ箇所に営巣することを好むカラス等の鳥類をこの営巣補助具に営巣させることが可能となるため、充電部が近接している場合でも、営巣構成部材の充電部への接触を避けることができ、配電線事故の発生を回避することが可能となる。
【００１５】
また、周壁の対向する一対の壁面のそれぞれの上部（上端又はその近傍）に、隣接する壁面にかけて可撓性の形状維持部材を内装させ、一対の壁面の上部を外側に折り返すように変形させて既設部材に係止させることが可能となるので、被設置箇所への設置が容易となり、また、係止させる箇所が充電部である場合には、その充電部を絶縁シートで被覆しつつ設置させることが可能となる。
【００１６】
さらに、周壁の開口部分近傍に、絶縁シートを集約させて開口部分を絞る引締紐を設けることで、営巣を撤去したい場合には、引締紐を引っ張ることにより開口部分を絞ることができるので、絶縁シート内の営巣構成部材がシートの外側へ脱落することがなくなり、また、撤去時に誤って営巣構成部材が充電部に接触することもなくなり、安全に営巣を撤去することが可能となる。
【００１７】
さらに上述の構成において、取付バンドを、周壁外側の上部、周壁外側の中程の高さ位置、及び、底壁の下面の適所に設けるこで、被設置箇所の既設部材に応じて取付バンドを選択して営巣補助具を固定することが可能となる。
【図面の簡単な説明】
【００１８】
【図１】図１は、本発明に係る鳥類営巣補助具を電柱の腕金上の縁線間に設置した状態を示す斜視図である。
【図２】図２は、本発明に係る鳥類営巣補助具を示す図であり、（ａ）その側面図、（ｂ）はその平面図である。
【図３】図３は、本発明に係る鳥類営巣補助具の形状維持部材を折り曲げる工程を説明する図である。
【図４】図４は、本発明に係る鳥類営巣補助具の引締紐を引っ張って開口部を絞った状態を示す図である。
【発明を実施するための形態】
【００１９】
以下、本発明に係る鳥類営巣補助具の実施例を図面を用いて説明する。
【００２０】
図１において、本発明に係る営巣補助具１を電柱２の上部の高圧線３の引留箇所の近傍に設置した例が示されている。
この例においては、高圧線３の引留箇所が、電柱２の上部に水平方向に設けられた角筒状の抱き合わせ腕金４と、架設される高圧線３が挟持される引留クランプ５と、この引留クランプ５が連結される耐張碍子６と、この耐張碍子６を腕金４に取り付ける引留具７と、引留クランプ５を介して腕金４と接触しないように反対側の引留クランプ５にかけて架設される（この例では、腕金４の上側を亘すように架設される）高圧線３の縁線８と、腕金上部に立設されて縁線８を支持するピン碍子９とを有して構成されており、隣り合う縁線８間に営巣があったため、これを撤去して同じ場所に本営巣補助具１を設置する場合について説明する。
【００２１】
営巣補助具１は、図２にも示されるように、上面が矩形状に開口された有底の袋状のもので、周壁１０が変形自在な絶縁シート１１で構成されると共に、底壁１２が絶縁性の変形自在なネット材１３で構成されている。周壁１０は、これによって囲まれた領域が略矩形となるように４つの壁面１０ａ〜１０ｄを連接して構成されており、底壁１２のネット材１３は、周壁１０に続いて一体に形成されている。
【００２２】
この例では、対向する一対の壁面１０ａ，１０ｃが他の対向する一対の壁面１０ｂ，１０ｄよりも幅が短く形成されており、幅が短い壁面１０ａ，１０ｃの幅を約３０ｃｍ、幅が長い壁面１０ｂ，１９ｄの幅を約４０ｃｍ、高さ（開口端から底壁までの寸法）を約３０ｃｍとしている。
【００２３】
絶縁シート１１は、電気を通さない絶縁性高分子からなるシートであり、材質は特に制限はないが、たとえば、ポリエステル系、ポリアミド系、ポリオレフィン系などの絶縁性高分子からなるシートを挙げることができる。また、絶縁シート１１の表面は、放電処理やコーティングなどが施されていてもよい。また、絶縁シート１１の厚みについては特に制限はないが、折り畳んだり容易に変形させることができるものが用いられる。また、この例において、絶縁シート１１は２枚重ねになっており、内部に後述する形状維持部材１４や引締紐２０が内装されるようになっている。
【００２４】
幅が長い壁面１０ｂ、１０ｄの上部は伸縮できるように重ね折りされた伸縮部１７が形成され、取付箇所に合わせて開口部分の形状や大きさを調整できるようになっている。また、幅が短い壁面１０ａ，１０ｃの上部（上端又はその近傍）には、形状を変形することができる針金等の金属材からなる可撓性の形状維持部材１４が、破線で示されるように、隣接する壁面１０ｂ，１０ｄにかけて内装されており、図３に示されるように、幅が短い壁面１０ａ，１０ｃの上部を外側に折り返して縁線８に係止させる係止部１８を形成できるようになっている。
【００２５】
また、周壁１０の開口部分近傍、この例では、絶縁シート１１の伸縮部１７より下側の部分に、全周に亘って紐挿通路１９が形成され（図２（ａ）に示す）、この紐挿通路１９に引締紐２０が内装されている。この引締紐２０は、幅が狭い壁面１０ａ，１０ｃの中程に形成された脇穴２１から引き出され、この引き出された引締紐２０を引っ張ることで、周壁１０が寄せられて開口部分が絞られるようになっている。
【００２６】
そして、周壁１０を構成する絶縁シート１１の外面（周壁１０の外面）には、幅が短い壁面１０ａ，１０ｃの上部（この例では、上端）と同壁面の中程の高さ位置とに被設置箇所の既設部材に取り付け可能な取付バンド２２，２３が一体に取り付けられている。また、底壁１２を構成するネット材１３の下面の四隅にも取付バンド２４が一体に取り付けられている。これら取付バンド２２，２３，２４は、絶縁性のものであれば特に制限はないが、例えば、マジックテープ（登録商標）等で構成してもよい。
【００２７】
尚、ネット材１３も、電気を通さない絶縁性高分子からなり、絶縁シート１１と同様の素材にしても、異なる素材にしてもよい。また、ネット材１３の表面に放電処理やコーティングなどを施すようにしてもよい。
【００２８】
以上の構成において、電柱２の腕金４の上部の縁線８間に営巣されている場合に、この営巣を撤去して上述した営巣補助具１を取り付ける場合には、図３に示されるように、幅が短い壁面１０ａ，１０ｃに内装された形状維持部材１４を外側に折り返して、縁線８に係止可能な係止部１８を形成する。また、絶縁シート１１を拡げて設置箇所のスペースに合わせて凡その形状に作り、この状態で営巣補助具１を腕金４の上部から縁線間に掛け渡すように載置し、長手方向の壁面上部の伸縮部１７の長さを調節すると共に周壁１０（絶縁シート１１）の形状を設置箇所のスペースに合わせて微調整し、係止部１８を縁線８に係止させる。
【００２９】
その後、幅が短い壁面１０ａ，１０ｃの上部に形成された取付バンド２２を縁線８に巻き付け、また、縁線８を保持するピン碍子９が腕金４に取り付けられている場合には、このピン碍子９に隣接している壁面１０ａの中程に設けられた取付バンド２３をピン碍子９の周囲に巻き付け、底壁１２の下面に設けられた取付バンド２４を腕金４に巻き付けて営巣補助具１を固定する。
【００３０】
したがって、上述の営巣補助具１によれば、変形可能な絶縁シート１１で周壁１０が構成されると共に絶縁性の変形自在なネット材で底壁１２が構成されているので、被設置箇所のスペースにあわせて周壁や底壁の形状を調整することができ、また、伸縮部１７が設けられているので、適切な大きさに設定して設置することが可能となる。しかも、底壁１２がネット材１３で構成されているため、設置後に雨水が溜まることもない。また、幅の短い一対の壁面１０ａ，１０ｃのそれぞれの上部に、可撓性の形状維持部材１４が隣接する壁面１０ｂ，１０ｄにかけて内装されているので、これを設置個所の既設部材に係止できるよう変形させることで（上述の例では、縁線８に合わせて外側へ折り返して下側が開口された係止部１８を形成することで）、既設部材に容易に係止させることが可能となり、特に係止部１８を係止させる部分が縁線８のような充電部であれば、係止部１８を係止させることで縁線８を絶縁シート１１で被覆できるので、絶縁処理を合わせて行うことが可能となる。
【００３１】
そして、このよう営巣補助具１を用いれば、カラス等の鳥類が内側に営巣した場合でも、針がね等の営巣構成部材が充電部に接触することを避けることができ、配電線事故の発生する不都合を回避することが可能となる。
さらに、周壁１０の開口部分近傍に、開口部分を絞る引締紐２０が設けられているので、営巣を撤去したい場合には、各取付バンド２２，２３，２４を既設部材から取り外し、引締紐２０により開口部分を絞るように絶縁シート１１を収縮させることで、絶縁シート１１内の営巣構成部材がシートの外側へ脱落することがなくなり、また、撤去時に誤って営巣構成部材が充電部に接触することもなくなり、安全かつ速やかに営巣を撤去することが可能となる。
さらに上述の構成において、取付バンド２２，２３，２４を、周壁外側の上部、周壁外側の中程の高さ位置、及び、底壁１２の下面の適所に設けたので、被設置箇所の既設部材に応じて取付バンド２２，２３，２４を選択して営巣補助具１を固定することが可能となる。
【００３２】
尚、上述の例では、電柱２の腕金上部の縁線間に営巣補助具１を設けた例を示したが、電柱２と縁線８との間やその他の箇所においても、被設置箇所のスペースに合わせて周壁１１や底壁１３の形状を調整すると共に、形状維持部材１４を適宜変形させることで設置し、しかる後に、被設置箇所の既設部材に取付バンド２２，２３，２４を適宜選択して固定すれば、上述した営巣補助具１を用いて様々な箇所に設置することが可能となる。
【符号の説明】
【００３３】
１  営巣補助具
１０  周壁
１０ａ，１０ｂ，１０ｃ，１０ｄ  壁面
１１  絶縁シート
１２  底壁
１３  ネット材
１４  形状維持部材
２０  引締紐
２２，２３，２４  取付バンド
【図１】
2011072197.tif 000003
【図２】
2011072197.tif 000004
【図３】
2011072197.tif 000005
【図４】
2011072197.tif 000006